(57)【要約】      （修正有）【課題】上蓋を折り曲げる際に内蓋を押さえながら行うことがなく、梱包作業が容易になる梱包箱を提供する。【解決手段】取手を備える物品を、その取手を外部に露出する様に梱包箱で梱包するに、梱包箱の上蓋は勿論、内蓋にもスリットを形成し、このスリットに取手を通して取手を梱包箱から露出しているが、内蓋を折り曲げて後に上蓋を折り曲げる際に、一旦は折り曲げられた内蓋が起き上がる為、内蓋を折り曲げた状態に押さえつつ上蓋を折り曲げなければならなかったので、内蓋にスリット幅を取手の幅より狭くして、内蓋を折り曲げた際に、スリットで取手を挟持して内蓋の起き上がりを防止することで上蓋の折り曲げを容易にし梱包作業時間を短縮したものである。【選択図】図１
0003144756.tif 000002
【実用新案登録請求の範囲】
【請求項１】
硬質の取手を備えた物品を収納する梱包箱において、該梱包箱は、上面開口する有底の箱部と、該箱部の開口する上面の相対する側面上端に各々取り付けられた内蓋と、該箱部の開口する上面の内蓋が取り付けられた側面とは異なる側面上端に取り付けられた上蓋とを備え、該上蓋には取手を通すスリットが形成され、更に、相対する内蓋には一端が開口するスリットが各々形成され、且つ、該内蓋のスリットの幅が、該スリットを通る取手の幅より０〜３ｍｍ狭くしたことを特徴とする梱包箱。
【請求項２】
硬質の取手を備えた物品の該取手に凹部を形成し、梱包箱の内蓋に形成したスリットの幅は、取手の凹部が形成された部分の幅よりは幅広に形成したことを特長とする請求項１に記載の梱包箱。
【請求項３】
該相対する内蓋の先端は互いに折り曲げられることを特徴とする請求項１又は２に記載の梱包箱。
【請求項４】
該相対する内蓋の折り曲げられる先端の角部を面取りしたことを特徴とする特許請求項３の梱包箱。
【考案の詳細な説明】
【技術分野】
【０００１】
本考案は取手を付けた鉛蓄電池などの物品の梱包箱に関するものである。
【背景技術】
【０００２】
鉛蓄電池には、梱包箱からの出し入れや持ち運びに便ならしめる為に取手を形成しているものがある。これら取手付の鉛蓄電池を工場から出荷するときは、これを梱包箱に収納し出荷される。この際利用される梱包箱は、ダンボールを折り曲げ加工して形成されることが一般的で、上面が開放する有底の箱部と、該箱部の開口する上面の相対する側面上端に取り付けられた内蓋と、該箱部の開口する上面の内蓋が取り付けられた側面とは異なる側面上端に取り付けられた上蓋とからなる。この梱包箱に鉛蓄電池を収納するには、箱部の上面開口から鉛蓄電池を箱部内に収納し、相対する内蓋を内側へ折り曲げて上面開口を覆い、更に上蓋を内側へ折り曲げて内蓋と共に上面開口を覆い梱包が完了するものである。
【０００３】
この際、取手が付いている鉛蓄電池を梱包する場合は、相対する内蓋に取手を通すスリットが一端を開口して形成することが知られている（特許文献１）。
【０００４】
この特許文献１に示されるスリットは、開口する一端と反対側の部分は広くし、開口する先端部分は狭くしたスリットが形成されている。
【０００５】
更に、取手付の鉛蓄電池に関するものではないが、取手が付けられたものを梱包するに際し、相対する内蓋に取手を通すに十分な幅を持ったスリットを形成することも知られている（特許文献２）。
【０００６】
【特許文献１】特開２００６−３１５７１０号公報（図１等参照）
【特許文献２】特開平９−２４９２１９号公報（図１６等参照）
【考案の開示】
【考案が解決しようとする課題】
【０００７】
上記に記載される通り、梱包箱は、収納された取手付の物品が収納された箱部に蓋をする際に、特許文献２に記載の様に、内蓋に、取手を通すに十分な幅を持ったスリットを形成した場合は、内蓋を折り曲げ、次に上蓋を折り曲げるのであるが、内蓋を折り曲げた際に、該内蓋から手を離すと内蓋が再び起き上がってしまい、上蓋を折り曲げる際に内蓋が起き上がらないように押さえながら上蓋を折り曲げなければならず、煩わしいものとなっている。
【０００８】
更に、特許文献１に記載の様に、内蓋に開口する一端と反対側の部分は広くし、開口する先端部分は狭くしたスリットを形成した場合は、スリットに取手を通す作業が煩わしいものとなる。
【課題を解決するための手段】
【０００９】
本考案は、これら従来の梱包箱が抱える課題を解消したもので、請求項１の考案は、内蓋に形成するスリットの幅を、これを通す取手の幅より０〜３ｍｍ狭く形成したことを特徴とするものである。請求項２の考案は、取手に、狭くしたスリット幅より幅狭になる様に凹部を形成したことを特徴とするものである。請求項３に記載の考案は、内蓋の先端を折り曲げられるようにしたことを特徴とするものである。請求項４に記載の考案は、内蓋の折り曲げられる先端の角部を面取りしたことを特徴とするものである。
【００１０】
この様に構成した梱包箱を用いた場合は、内蓋を折り曲げた場合は、硬質の取手を押し下げることなく、内蓋のスリットに取手を通すことが出来、しかも内蓋を折り曲げた後に手を離してもスリットが取手を挟持し、起き上がることがない。その際に取手の凹部があれば、上蓋のスリットに取手を通すことで、スリットが取手を挟持部分から先端方向が広がる形になるが、該凹部により内蓋のスリット幅が所定の基も幅になり、通した後の取手での内蓋の起き上がり防止がより確実となり、内蓋の起き上がりを防止することができるので、梱包作業はより容易となる。更に、内蓋先端を折り曲げることで、特開昭６３−１７８９３５に記載される様に、梱包箱の強度を向上できると共に、内蓋先端を手で折り曲げた状態で、スリットに取手を通すので、より確実にスリットに取手を通すことが出来る。更に、その先端を面取りすることにより、スリットへ取手を通し易くなる。
【００１１】
なお、内蓋のスリット幅は取手の幅より１〜２ｍｍ狭くすることが、取手を通す作業がより容易であると共に、内蓋の起き上がりを防止し得て好ましい。更に、内蓋先端の面取りは、角部に円弧を形成するＲ面や、斜めにカットするＣ面等に形成することが好ましく、Ｒ面やＣ面に面取りされたその先端のスリット幅は取手幅より広い方がより好ましい。
【００１２】
なお、本考案において硬質の取手とは、繊維を織ってなる組紐の様に自立して所定の、例えば湾曲形状を保てないものではなく、合成樹脂等で成形して、自立して所定の形状を保てる程の硬さと言う意味である。
【考案の効果】
【００１３】
本考案によれば、内蓋を折り曲げた際に、スリット内に取手を容易に通すことが出来ると共に、該スリットにより内蓋が取手に係止し、内蓋が再び起き上がることがなく、従って、上蓋を折り曲げる際に内蓋を押さえながら行うことがなく、梱包作業が容易になる。更に、請求項２の考案によれば、内蓋の取手への係止をより確実に行わせることができ、請求項３の考案によれば、内蓋のスリットへ取手を通すことがより通しやすくなり、更に請求項４によれば、内蓋のスリットへ取手を通すことが更に容易になるという効果を奏するものである。
【考案を実施するための最良の形態】
【００１４】
本考案の梱包箱は、ダンボールを所定の形状に切り取り、折り曲げて底面を形成すると共に、上面が開口する箱部を形成し、その開口する上面の相対する側面上端に一体に内蓋を折り曲げ可能に形成し、これら内蓋を形成した側面とは異なる側面上端に一体に上蓋を折り曲げ可能に形成し、内蓋には収納される取手付の鉛蓄電池の取手を通すスリットが形成され、そのスリットの一端は開口すると共に、その幅は、取手の幅より０〜３ｍｍ狭く形成される。更に上蓋の中央には取手を通すスリットが、取手の幅よりは広く形成される。
【００１５】
この様に形成された梱包箱は、その箱部に取手付鉛蓄電池を収納し、まず、内蓋を、箱部の開口する上面を覆う様に内側へ折り曲げる。この際、内蓋のスリットは取手の幅より狭く形成されているも、取手が硬質であり、内蓋を折り曲げても取手がそれと一緒に下方へ折り曲がることはなく、狭いスリットを通り抜けて内蓋が折り曲げ施される。そして、内蓋から手を離し、折り曲げる力を解除しても内蓋は、そのスリットが取手を挟持して起き上がることはない。次いで、上蓋を折り曲げ、中央に形成されたスリットに取手を通して箱部の開口する上面を覆うことで梱包が完了する。
【実施例１】
【００１６】
以下、実施例により詳細に説明する。
図１は、本考案の１実施例を示す斜視図である。１は梱包箱で、厚み３ｍｍのダンボールで形成され、通常のダンボールで箱体を形成する場合と同様に、所定形状に切り出されてこれを折り曲げて底部（図示ぜす）を形成し、相対して形成される長側面と短側面からなる四周の側面からなり、上面が開口する箱部１１を形成した。四周の側面の端部は互いに重ねられて接着剤により接着されている。この箱部の開口する上面の相対する短側面１１１の上端には夫々一体に内蓋１２、１２が、更に相対する長側面１１２の上端の一方には上蓋１３が、他方には中蓋１４が一体に形成されている。そして、内蓋１２には、その一端が内蓋１２の先端に開口するようにスリット１２１が各々の内蓋１２、１２に形成され、上蓋１３と中蓋１４にもスリット１３１、１４１が形成されている。そして、本考案の特徴は、内蓋のスリット１２１の幅Ａ寸法を、物品の取手幅Ｂより狭くしたことで、箱体１１内に収納する鉛蓄電池の取手の幅が２０ｍｍである時に、このスリット１２１の幅を１９ｍｍとし、物品の取手幅より１ｍｍ狭くした。なお、上蓋１３と中蓋１４に形成されたスリット１３１、１４１の幅は取手の幅より十分に広い２４ｍｍと２７ｍｍである。図中、中蓋１３は外方に折り曲げた状態に示されているが、これは箱体１１内に収納された物品を示す為にそのように図示したのであって、実際は上方へ垂直に立っているものである。なお、１５はダンボールを加圧して各所に形成された折り曲げ部である。
【００１７】
この様に構成された梱包箱１に取手２１が付いた鉛蓄電池２をその箱体１１内に収納し、次いで内蓋１２を箱体１１の上面開口を覆う様に内方に折り曲げて、内蓋１２のスリット１２１に取手２１を通すと、内蓋１２はスリット１２１により取手２１を挟持するので、大きく起き上がることはない。従って、次に中蓋１４と上蓋１３を順次、内蓋１２と同様に箱体１１の上面開口を覆う様に内方に折り曲げる際に内蓋１２が邪魔することがなく、上蓋１３に形成した差込突起１３２を中蓋１４の折り曲げられる部分に形成した差込口１４２に差し込んで梱包作業が完了する。この際、鉛蓄電池２の取手２１は、図２に示す通り、中蓋と上蓋１３の各々スリット１３１を通し、上蓋１３から突出するものである。従って、梱包箱に梱包された状態でも取手を持ち、運ぶことが出来る。
【００１８】
なお、取手２１は、厚み３ｍｍ程度のポリプロピレン樹脂からなる帯状体で、硬質であり、内蓋を折り曲げても、取手２１が押し潰されて、スリットを通らないと言ったことは無かった。
【００１９】
更に、図３に示す様に、鉛蓄電池に取り付けられる取手２１の両側面に凹部２１１を形成し、凹部２１１が形成された部分の幅Ｃを１５ｍｍとし、内蓋１２のスリット１２１の幅１９ｍｍより狭くした場合は、内蓋１２を折り曲げた際、スリット１２１が該凹部２１１により所定に幅になり、より確実に内蓋の起き上がりを防止し得て好ましい。なお、図３中２１２は鉛蓄電池への取付部で、鉛蓄電池の側面に形成された取手取付用凹所にこの取付部２１２を嵌合し、二股になっている部分を鉛蓄電池の該取手取付用凹所上方に形成された切欠き溝を貫通させることで取り付けられるものである。
【実施例２】
【００２０】
図４は、他の実施例を示す斜視図である。実施例１との相違点は、内蓋１２の先端に内方に折り曲げられる先端折り曲げ部１２２を形成したことであり、その他の構成は実施例１と同じである。なお、内蓋１２に形成されるスリット１２１は、この先端折り曲げ部１２２にも形成され、先端に開口している。
【００２１】
この先端折り曲げ部１２２の長さは、これを折り曲げ、内蓋１２を内方へ折り曲げた時に、先端折り曲げ部１２２の先端が鉛蓄電池の上面に当接する長さとした。
【００２２】
この様に構成された梱包箱１に取手２１が付いた鉛蓄電池２をその箱体１１内に収納し、次いで内蓋１２を箱体１１の上面を覆う様に内方に折り曲げ取手を通すが、これに先立ち、内蓋１２の先端折り曲げ部１２２を内方に折り曲げるものである。従って、その先端折り曲げ部１２２を折り曲げた状態で内蓋１２をも折り曲げるので、スリット１２１が取手２１に対しより直角に近い状態で向き合うので、確実に取手２１をスリット１２１に通すことが出来る。内蓋１２を内方に折り曲げた際には、この先端折り曲げ部１２２の先端は収納された鉛蓄電池２の上面に当接する。そして、実施例１の場合と同様、スリット１２１は取手２１を挟持するので起き上がることはなく、中蓋１３、上蓋１４を順次折り曲げて梱包を完了する。
【００２３】
この場合、図４に示す如く、先端折り曲げ部１２２の先端にある４個の角部１２３を切り取り。円弧状（Ｒ面）にしたり、斜め（Ｃ面）にしたりして面取りすることで、スリット１２１の先端開口の幅を広げると、より取手が通り易くなる。
【００２４】
実施例１と２に示す梱包箱の内蓋のスリット幅や先端折り曲げ部の面取りを種種変えて、それぞれ１００個の梱包箱を製作し、実際に梱包作業を実施した。その際の１個当たりの作業時間を、実施例１で説明した内蓋に先端折り曲げ部を有しない場合を表１に、実施例２で説明した先端折り曲げ部を有する場合を表２に夫々示す。
【００２５】
【表１】
0003144756.tif 000003
【００２６】
【表２】
0003144756.tif 000004
【００２７】
表１に示す通り、内蓋のスリット幅を取手の幅より０〜３ｍｍ狭くしたもの（番号１〜４）は、広くしたもの(番号６)に比べ１個当たりの梱包時間を大きく短縮することが出来た。なお、内蓋スリット幅を取手の幅より４ｍｍ狭くしたもの（番号５）は、内蓋を折り曲げた際に、取手も同時に押し下げてしまい、スリット内に取手を通す手間が生じる場合があり、梱包時間を大きくは短縮することは出来なかった。
【００２８】
表２は、内蓋の先端に先端折り曲げ部を形成し、梱包箱の強度を上げたものであるが、この場合においても、内蓋のスリット幅を取手の幅より０〜３ｍｍ狭くしたもの（番号７〜１０）は、広くしたもの（番号１２）に比べ１個当たりの梱包時間を大きく短縮することが出来た。先端折り曲げ部を有する場合においても、内蓋スリット幅を取手の幅より４ｍｍ狭くしたもの（番号１１）は、大きくは短縮することは出来なかった。
【００２９】
更に、先端折り曲げ部の角部を面取りした場合（番号１３〜１９）は、面取りしない場合に比し梱包時間を短縮でき、面取りによって内蓋のスリットの先端幅が取手の幅より広くした場合（番号１３〜１６）は、先端折り曲げ部が無い場合の梱包時間に迫るほどに短縮できた。なお、この場合でも内蓋スリット幅を取手の幅より４ｍｍ狭くしたもの（番号１９）は、面取りによって内蓋のスリットの先端幅が取手の幅より広くしたとは言え３ｍｍ以下の場合のようには短縮出来なかった。
【００３０】
以上に様に、内蓋のスリット幅を取手の幅より０〜３ｍｍ狭くすることで、梱包作業の時間を短縮することが出来た。特に上記各表からも明らかなとおり、１〜２ｍｍ狭くすることが好ましい。
【図面の簡単な説明】
【００３１】
【図１】本考案１実施例の梱包箱斜視図。
【図２】梱包作業終了後の梱包箱斜視図。
【図３】物品に設けられる取手の１実施例を示す拡大斜視図。
【図４】本考案の他の実施例の梱包箱斜視図。
【符号の説明】
【００３２】
１    梱包箱
１１  箱部
１２  内蓋
１３  上蓋
２    鉛蓄電池
２１  取手
２１１  凹部
【図１】
0003144756.tif 000005
【図２】
0003144756.tif 000006
【図３】
0003144756.tif 000007
【図４】
0003144756.tif 000008